(57)【要約】【課題】荷梱包作業の迅速化を図る。【解決手段】第１外底フラップ10の先端部に複数の突片部18、18ａを間隔をおいて形成し、第２外底フラップ12の先端部にして前記突片部18、18ａの隣接箇所の入込部19、19ａに対応する部位に突片部20、20ａを設けると共に、該突片部20、20ａの隣接箇所を入込部21、21ａとして、前記突片部18、18ａに対応させることによって、フラップ折り曲げ順序を簡潔にし、組み立て時の心理的な負担を軽減させ、また突片部18、18ａにおける入込部19、19ａ側の側端に係止片部22、22ａを夫々突設し、突片部20、20ａにおける前記係止片部22、22ａに対応する側端に係止片部23、23ａを夫々突設することによって、両外底フラップ10、12の係止片部どうしを相互に係止させて、各突片部の対応する入込部からの出脱を防止する。【選択図】図１
0003153211.tif 000002
【実用新案登録請求の範囲】
【請求項１】
胴体部下端の周囲に、第１外底フラップ、第１内底フラップ、第２外底フラップ、第２内底フラップを順に連設し、各フラップをその基端で内側に折り曲げると共に、両外底フラップ先端部を係合させることで、底面部を形成する様にした包装用箱であり、
第１外底フラップ先端部に複数の突片部を間隔をおいて形成し、第２外底フラップ先端部にして第１外底フラップ突片部の隣接箇所の入込部に対応する部位に突片部を設けると共に、該第２外底フラップ突片部の隣接箇所を入込部として、前記第１外底フラップ突片部に対応させ、第１外底フラップの突片部における入込部側の側端に係止片部を夫々突設し、第２外底フラップの突片部における前記第１外底フラップ突片部の係止片部に対応する側端に係止片部を夫々突設したことを特徴とする包装用箱。
【請求項２】
外底フラップは、その側縁部を内側傾斜の斜辺として、基端側に比して先端側の幅を狭く形成したことを特徴とする請求項１記載の包装用箱。
【考案の詳細な説明】
【技術分野】
【０００１】
本考案は、段ボール箱等の様に底面部がフラップで構成される包装用箱に関する。
【背景技術】
【０００２】
従来、キャベツやバナナ等の野菜や果物を種別に所定数量分をひとまとめに梱包して運搬する際、一般に段ボール箱が用いられている。
段ボール箱の形式は多種有り（例えば、非特許文献１参照）、内容物その他の諸条件により適宜選択使用されるが、底面部を構成する各フラップを、ステープラー等の留具を用いず、フラップどうしを係合させることで封緘をするものとしては、上記非特許文献１の第２頁表２中のコード番号０２１５及びコード番号０２１６のもの等が見受けられる。
これらは、底面部の組み立てに際し、先ず一方の長さ面の下端に設けた第１底面フラップをその基端で内側に折り曲げ、次いで両幅面下端に設けた第２底面フラップ、第４底面フラップを共に折り曲げ、最後に他方の長さ面の下端に設けた第３底面フラップを折り曲げ、該第３底面フラップ先端に設けた突片部を、第１底面フラップ先端中央に設けた入込部に差し込み、この差し込まれた突片部を第１底面フラップ上面上に重ねることで、底面部を封緘する様にしている。
つまり、最後に折り曲げられ最下方に位置する第３底面フラップの両脇の上に第２底面フラップ、第４底面フラップが重なり、これらの上に第１底面フラップの両脇が重なり、この第１底面フラップ中央の上であり各フラップの重ね合わせの最上方に、基端側が最下方に位置している第３底面フラップの先端に設けた突片部が重なり、各フラップは相互に束縛しあって底面部が封緘されるのである。
【先行技術文献】
【非特許文献】
【０００３】
【非特許文献１】「段ボール箱の形式  ＪＩＳ  Ｚ  １５０７」、財団法人日本規                      格協会、平成元年７月３１日発行、２〜３頁、表２
【考案の概要】
【考案が解決しようとする課題】
【０００４】
ところが、梱包作業の現場においては、作業者が必ずしも熟練した者ばかりでなく、また一般に大量の箱を迅速に組み立てなければならないため、上記箱の様に、フラップ折り曲げ順序が決まっており、その上、第１底面フラップ折り曲げ後に、この第１底面フラップ対向位置ではなく、両脇に位置する第２底面フラップ及び第４底面フラップを折り曲げる工程を挟んで、最後に第３底面フラップを折り曲げる、との工程順序は、迅速に作業を勧める上で、心理的な煩わしさを伴う手順であり、特に非熟練者にとっては、正確な作業が妨げられ、作業遅延の原因となっていた。
【課題を解決するための手段】
【０００５】
本考案は、上記課題に鑑み、胴体部下端の周囲に、第１外底フラップ、第１内底フラップ、第２外底フラップ、第２内底フラップを順に連設し、各フラップをその基端で内側に折り曲げると共に、両外底フラップ先端部を係合させることで、底面部を形成する様にした包装用箱であり、第１外底フラップ先端部に複数の突片部を間隔をおいて形成し、第２外底フラップ先端部にして第１外底フラップ突片部の隣接箇所の入込部に対応する部位に突片部を設けると共に、該第２外底フラップ突片部の隣接箇所を入込部として、前記第１外底フラップ突片部に対応させることによって、両内底フラップを折り曲げた後、両外底フラップを折り曲げさせ、対向する一対のフラップを一組ずつ順に折り曲げさせることで、フラップ折り曲げ順序を簡潔にし、組み立て時の心理的な負担を軽減させ、作業効率の向上を図る。
又、第１外底フラップの突片部における入込部側の側端に係止片部を夫々突設し、第２外底フラップの突片部における前記第１外底フラップ突片部の係止片部に対応する側端に係止片部を夫々突設することによって、両外底フラップの係止片部どうしを相互に係止させて、突片部の入込部からの出脱を防止する様にして、上記課題を解決する。
【考案の効果】
【０００６】
要するに本考案は、胴体部下端の周囲に、第１外底フラップ、第１内底フラップ、第２外底フラップ、第２内底フラップを順に連設し、各フラップをその基端で内側に折り曲げると共に、両外底フラップ先端部を係合させることで、底面部を形成する様にした包装用箱であり、第１外底フラップ先端部に複数の突片部を間隔をおいて形成し、第２外底フラップ先端部にして第１外底フラップ突片部の隣接箇所の入込部に対応する部位に突片部を設けると共に、該第２外底フラップ突片部の隣接箇所を入込部として、前記第１外底フラップ突片部に対応させたので、つまり対向する両外底フラップに突片部を設けて、これらを係合させることから、フラップの折り曲げに際し、先ず両内底フラップを折り曲げ、次いで両外底フラップを折り曲げ、対向する一対のフラップを一組ずつ順に折り曲げれば良いため、フラップ折り曲げ順序が簡潔であり、初心者でも作業手順を習熟し易く、また作業者の折り曲げ動作に無理なく、人の動作特性に合致しているため、心理的な負担を軽減して、組立て作業を容易化することが出来る。
又、第１外底フラップの突片部における入込部側の側端に係止片部を夫々突設し、第２外底フラップの突片部における前記第１外底フラップ突片部の係止片部に対応する側端に係止片部を夫々突設したので、両外底フラップの係止片部どうしを相互に係止させることにより、突片部の入込部からの出脱を防止し、ステープラー等の留具を用いなくとも、底面部を堅牢に封緘することが出来る。
従って、上記の組立て作業が容易であること、並びに、留具が不要で作業項目数が少ないことにより、荷梱包作業の効率を向上させ、迅速化を図ることが出来る。
【０００７】
底面部を形成するに際し、先ず胴体部を上下逆さにして、両内底フラップを折り曲げた後、両外底フラップを折り曲げ、外底フラップにより、内底フラップを押し下げ、揺動させつつ、一旦外底フラップ先端部を胴体部下端（各フラップ基端であり、この時上端）よりも更に下方に押し下げ、これを上方に戻しながら、一方の外底フラップ突片部と、他方の外底フラップ入込部を噛み合わせて、外底フラップ先端部どうしを係合させるのであるが、外底フラップは、その側縁部を内側傾斜の斜辺として、基端側に比して先端側の幅を狭く形成し、略台形としたので、外底フラップ先端隅角部が内底フラップ基端部から幾分離れて、内底フラップ基端部近くに当たらないため、外底フラップにより、内底フラップを押し下げ、揺動させねばならない角度が、内底フラップ基端部近くに外底フラップ先端隅角部が当たる場合に比べて小さくなり、押し下げに対する内底フラップの復元抵抗力が弱くなって、底面部の形成作業が更に容易となる等その実用的効果甚だ大である。
【図面の簡単な説明】
【０００８】
【図１】本考案に係る包装用箱の展開図である。
【図２】同上包装用箱の組み立て後の底面図である。
【考案を実施するための形態】
【０００９】
以下、本考案の包装用箱につき、実施例を示し、詳細に説明する。
図１は本考案に係る包装用箱の展開図、図２は組み立て後の底面図である。
【００１０】
本実施例の包装用箱は、段ボールから成り、図１に示す様に、ワンピース形のもので、組み立て後に四角筒形の胴体部１となる側壁２〜５が、罫線（クリーズ）Ｃを介して、直列に連設され、各側壁２〜５の上端に罫線（スコアー）Ｓを介して天面フラップ６〜９を連設し、側壁２〜５の下端に、罫線（スコアー）Ｓを介して、第１外底フラップ10、第１内底フラップ11、第２外底フラップ12、第２内底フラップ13を夫々連設している。
【００１１】
外底フラップ10、12は、その側縁部14、15、16、17を内側傾斜の斜辺として、基端側に比して先端側の幅を狭く形成し、外底フラップ10、12の外形を略台形としている。
【００１２】
第１外底フラップ10の先端部には、突片部18、18ａが所定の間隔をおいて形成され、第２外底フラップ12の先端部にして第１外底フラップ10の突片部18、18ａの隣接箇所の入込部19、19ａに対応する部位に突片部20、20ａを設けると共に、該突片部20、20ａの隣接箇所を入込部21、21ａとして、前記突片部18、18ａに対応させている。
【００１３】
そして、突片部18、18ａにおける入込部19、19ａ側の側端に係止片部22、22ａを夫々突設し、また突片部20、20ａにおける前記係止片部22、22ａに対応する側端に係止片部23、23ａを夫々突設している。
尚。本実施例のものでは、突片部は各外底フラップ10、12に夫々２枚が形成されているが、突片部の枚数に制限はなく、各外底フラップ10、12に複数形成され、一方の外底フラップ10、12に設けられた突片部と、他方の外底フラップ10、12に形成された入込部の数量が合致し、両外底フラップ10、12が係合可能であれば良い。
【００１４】
尚、図１中、符号24を付した部分は、側壁２の側端に罫線（クリーズ）Ｃを介して設けた継ぎ代であり、該継ぎ代24により、側壁２と側壁５とが連結され、側壁２〜５により、図２に示す様に、四角筒形の胴体部１が形成され、該胴体部１の下端の周囲に、第１外底フラップ10、第１内底フラップ11、第２外底フラップ12、第２内底フラップ13が順に連設されることになるのである。
【００１５】
底面部を形成する際は、図２に示す様に、先ず胴体部１を上下逆さにして、両内底フラップ11、13を折り曲げた後、両外底フラップ10、12を折り曲げ、係止片部22、22ａ、23、23ａを下方に折り曲げた状態にて、外底フラップ10、12により、内底フラップ11、13を押し下げ、揺動させつつ、一旦外底フラップ10、12の先端部を胴体部１の下端（各フラップ10、11、12、13基端であり、この時上端）よりも更に下方に押し下げ、これを上方に戻しながら、一方の外底フラップ10、12の突片部18、18ａ、20、20ａを、他方の外底フラップ10、12の入込部21、21a 、19、19ａの奥の上面に積重し噛み合わせて、外底フラップ10、12の先端部どうしを係合させる。
この時、外底フラップ10、12が略台形であることから、外底フラップ10、12の先端隅角部（側縁部14、15、16、17の先端）が内底フラップ11、13の基端部から幾分離れて、内底フラップ11、13の基端部近くに当らないため、外底フラップ10、12により、内底フラップ11、13を押し下げ、揺動させねばならない角度が、例えば、外底フラップ10、12が略長方形で、内底フラップ11、13基端部近くに外底フラップ10、12の先端隅角部が当たる場合に比べて小さくなる。
【００１６】
その後、胴体部１の上下を元に戻し、立ち上がった状態の係止片部22、22ａ、23、23ａを横倒し外底フラップ10、12上に重ねる。
すると、使用時に内底面に荷重が加わっても、係止片部22と係止片部23、係止片部22ａと係止片部23ａとが相互に係止しあって、突片部18、18ａ、20、20ａの入込部21、21ａ、19、19ａからの出脱が防止される。
【符号の説明】
【００１７】
１        胴体部
10        外底フラップ
11        内底フラップ
12        外底フラップ
13        内底フラップ
14        側縁部
15        側縁部
16        側縁部
17        側縁部
18、18ａ  突片部
19、19ａ  入込部
20、20ａ  突片部
21、21ａ  入込部
22、22ａ  係止片部
23、23ａ  係止片部
【図１】
0003153211.tif 000003
【図２】
0003153211.tif 000004